(57)【要約】【課題】工具本体と電池パックとの間にシール部材を設けた電動工具において、シール部材のシール性が低下することを抑制する。【解決手段】工具本体１１に電池パック１２を取り付け及び取り外しできる電動工具１０であって、電池パック１２に設けられた案内溝４１と、工具本体１１に設けた突起２２と、電池パック１２に設けたシール部材４０と、工具本体１１と電池パック１２とが相対移動するときに、シール部材４０が工具本体１１に接触することを防止する案内溝４１及び突起２２と、を備えていることを特徴とする。【選択図】図４
2014107188.tif 000002
【特許請求の範囲】
【請求項１】
電気機器本体に電池セルを保持した電池パックを取り付け及び取り外しが可能な電気機器であって、
前記電気機器本体と前記電池パックとの間に設けられるとともに、前記電気機器本体または前記電池パックのいずれか一方の部材に設けられるシール部材と、
前記電気機器本体及び前記電池パックに設けられ、かつ、前記電気機器本体に前記電池パックを取り付け及び取り外すときに、前記電気機器本体と前記電池パックとが相対移動する方向を規制する案内機構と、
前記電気機器本体と前記電池パックとが相対移動するときに、前記シール部材が前記電気機器本体または前記電池パックのいずれか他方の部材に接触することを防止する接触防止機構と、
を備えていることを特徴とする電気機器。
【請求項２】
前記案内機構は、前記電池パックまたは前記電気機器本体のいずれか一方の部材に設けた案内溝と、前記電池パックまたは前記電気機器本体のいずれか他方の部材に設けられ、かつ、前記案内溝に沿って移動可能な突起とを備えていることを特徴とする請求項１に記載の電気機器。
【請求項３】
前記電気機器本体に前記電池パックが取り付けられた状態を保持する保持機構が、前記電気機器本体及び前記電池パックに設けられており、
前記保持機構は、前記案内溝に設けられたラッチと、前記ラッチに係合する係止爪とを備えており、
前記係止爪が前記突起であることを特徴とする請求項２に記載の電気機器。
【請求項４】
前記接触防止機構は、前記ラッチと前記係止爪とが係合して前記電気機器本体に前記電池パックが取り付けられた状態に保持されると、前記シール部材が前記他方の部材に接触した状態を保持することを特徴とする請求項３に記載の電気機器。
【請求項５】
前記電気機器本体と前記電池パックとの間にシール対象部が形成され、
前記シール対象部を取り囲むように前記シール部材が無端状に設けられることを特徴とする請求項１に記載の電気機器。
【請求項６】
前記電気機器本体に機器側端子が設けられており、
前記電池パックに、前記電池セルに接続され、かつ、前記電気機器本体に前記電池パックが取り付けられると前記機器側端子に接続される電池側端子が設けられており、
前記シール対象部は、前記電気機器本体に前記電池パックが取り付けられて前記機器側端子と前記電池側端子とが接続された部分を含むことを特徴とする請求項５に記載の電気機器。
【請求項７】
電気機器本体に電池パックを取り付け及び取り外しが可能な電気機器であって、
前記電気機器本体と前記電池パックとの間に設けられるシール部材と、
前記電気機器本体及び前記電池パックに設けられ、かつ、前記電気機器本体に前記電池パックを取り付け及び取り外すときに、前記電気機器本体と前記電池パックとが相対移動する方向を規制する案内機構と、を備え、
前記案内機構は、前記電気機器本体に前記電池パックを取り付けるときに、前記電気機器本体と前記電池パックが近づくように案内することを特徴とする電気機器。
【発明の詳細な説明】
【技術分野】
【０００１】
本発明は、電気機器本体と、電気機器本体に取り付け及び取り外しが可能な電池パックとを有する電気機器に関する。
【背景技術】
【０００２】
従来、電気機器本体と、電気機器本体に取り付け及び取り外しが可能な電池パックとを有する電気機器が知られている。この電気機器の一例が特許文献１に記載されている。特許文献１に記載された電気機器は電動工具である。電動工具は電気機器本体を有し、電気機器本体の内部に電動モータが設けられている。また、電気機器本体に先端工具が取り付けられている。先端工具は、電動モータの動力により回転する構成を有する。電気機器本体にハンドル部が設けられており、ハンドル部に装着部が設けられている。装着部に機器側端子が設けられており、機器側端子は電動モータに接続されている。また、装着部に着脱される電池パックが設けられている。電池パックは、収容ケースと、収容ケースの内部に収容された電池セルとを有する。収容ケースの内部に基板が設けられており、基板には電池側端子が取り付けられている。電池側端子は電池セルの電極と接続されている。一方、収容ケースに端子挿入孔が設けられており、電池側端子が端子挿入孔に挿入されている。さらに、収容ケースに案内レールが設けられ、装着部には案内レールに係合する突起が設けられている。電池パックを装着部に取り付けるとき、突起を案内レールに係合させて、装着部と電池パックとを相対移動する。電池パックを装着部に取り付ける過程で、電池側端子と機器側端子とが接続される。
【０００３】
一方、電動工具の装着部と電池パックとの間に異物が侵入することを防止する技術が、特許文献２に記載されている。特許文献２に記載された電動工具は、機器本体のハンドル部に装着部が設けられており、装着部に電池パックが差し込まれるように構成されている。そして、装着部にシール部材が取り付けられており、電池パックを装着部に取り付けると、シール部材が、装着部と電池パックとの間をシールする。
【先行技術文献】
【特許文献】
【０００４】
【特許文献１】特開２０１２−５１０６４号公報
【特許文献２】特開２００２−２５４３５６号公報
【発明の概要】
【発明が解決しようとする課題】
【０００５】
しかしながら、特許文献１に記載された電動工具は、電池パックを案内機構によって直線状に移動させて、電池パックを装着部に取り付ける構造である。このため、特許文献２に記載されているシール材を、特許文献１に記載されている電動工具の装着部に設けると、電池パックを装着部に取り付けるために、電池パックを直線状に移動させると、シール部材が電池パックに接触して、シール部材が摩耗したり剥がれたりして、シール部材のシール性が低下する可能性があった。
【０００６】
本発明の目的は、電気機器本体と電池パックとの間に設けたシール部材のシール性が低下することを抑制することの可能な電気機器を提供することにある。
【課題を解決するための手段】
【０００７】
本発明の電機機器は、電気機器本体に電池セルを保持した電池パックを取り付け及び取り外しが可能な電気機器であって、前記電気機器本体と前記電池パックとの間に設けられるとともに、前記電気機器本体または前記電池パックのいずれか一方の部材に設けられるシール部材と、前記電気機器本体及び前記電池パックに設けられ、かつ、前記電気機器本体に前記電池パックを取り付け及び取り外すときに、前記電気機器本体と前記電池パックとが相対移動する方向を規制する案内機構と、前記電気機器本体と前記電池パックとが相対移動するときに、前記シール部材が前記電気機器本体または前記電池パックのいずれか他方の部材に接触することを防止する接触防止機構と、を備えていることを特徴とする。
【０００８】
一実施形態の電気機器は、電気機器本体に電池パックを取り付け及び取り外しが可能な電気機器であって、前記電気機器本体と前記電池パックとの間に設けられるシール部材と、前記電気機器本体及び前記電池パックに設けられ、かつ、前記電気機器本体に前記電池パックを取り付け及び取り外すときに、前記電気機器本体と前記電池パックとが相対移動する方向を規制する案内機構と、を備え、前記案内機構は、前記電気機器本体に前記電池パックを取り付けるときに、前記電気機器本体と前記電池パックが近づくように案内することを特徴とする。
【発明の効果】
【０００９】
本発明の電気機器によれば、電気機器本体と電池パックとの間をシールするシール部材のシール性が低下することを抑制できる。
【図面の簡単な説明】
【００１０】
【図１】本発明の電気機器の第１実施形態である電動工具を示す斜視図である。
【図２】図１の電動工具の部分的な斜視図である。
【図３】図１に示す電池パックの斜視図である。
【図４】図１に示す電動工具において、工具本体から電池パックが取り外されている状態の側面図である。
【図５】図１に示す電動工具において、工具本体に電池パックを取り付ける途中の側面図である。
【図６】図１に示す電動工具において、工具本体に電池パックを取り付けた状態の側面図である。
【図７】本発明の電気機器の第２実施形態である電動工具を示す部分的な斜視図である。
【図８】図７に示す電動工具の部分的な側面図である。
【図９】図８に示す電池パックの斜視図である。
【図１０】本発明の電気機器の第３実施形態である電動工具を示す模式的な側面図である。
【発明を実施するための形態】
【００１１】
本発明の電気機器の実施形態を、図面を用いて詳細に説明する。
【００１２】
（第１実施形態）
図１は、電気機器の第１実施形態である電動工具１０の概略構成を示す。電動工具１０は、工具本体１１及び電池パック１２を有する。電池パック１２は、工具本体１１に取り付け及び取り外し可能である。工具本体１１は樹脂材料により成形されている。工具本体１１は、ケーシング１３とグリップ１４と装着部１５とを備えている。ケーシング１３の内部には電動モータ１６が設けられている。電動工具１０は、電動モータ１６に電力を供給するコードが接続されていないコードレスタイプの工具である。
【００１３】
また、ケーシング１３は、先端工具１７を取り付け及び取り外しができるようになっている。先端工具１７は、電動モータ１６から動力が伝達されると、軸線Ａを中心として回転運動または往復運動する。すなわち、電動工具１０は、ドリル、ドライバ、インパクトドライバ、ハンマ、ハンマドリル、ハンマドライバを含む。
【００１４】
グリップ１４の一端にケーシング１３が接続され、グリップ１４の他端に装着部１５が設けられている。グリップ１４は内部中空であり、グリップ１４の内部には電動モータ１６を制御する制御基板が設けられている。制御基板は、便宜上、図示されていない。また、図２に示すように、装着部１５には複数、例えば、３個の工具側端子１８が設けられている。複数の工具側端子１８は、導電性を備えた金属材料により構成されている。複数の工具側端子１８は板状であり、複数の工具側端子１８は、装着部１５の平坦面２０に対して直角となるように立てられている。複数の工具側端子１８は相互に平行である。複数の工具側端子１８は、図示しないケーブルを介して制御基板に電気的に接続されている。
【００１５】
装着部１５には、２つの側板１９が設けられている。２つの側板１９の間に平坦面２０が設けられている。平坦面２０に対する２つの側板１９の突出方向は、装着部１５の平坦面２０に対する複数の工具側端子１８の突出方向と同じである。装着部１５を平面視すると、２つの側板１９は略平行に配置されている。さらに、装着部１５には、平坦面２０に対して直角な段部２１が設けられている。さらにまた、装着部１５には平坦面４８が設けられている。平坦面４８と平坦面２０とは、段部２１を介して接続されている。平坦面２０と平坦面４８とは、異なる平面上に配置されているが、相互に平行である。平坦面２０は、平坦面４８よりもグリップ１４に近い位置に設けられている。
【００１６】
さらに、装着部１５は張り出し部４９を有する。張り出し部４９は、平坦面２０における段部２１が接続されている箇所とは反対側に連続して設けられている。張り出し部４９は平坦面２０よりもグリップ１４に近い位置に設けられている。
【００１７】
複数の工具側端子１８は２つの側板１９同士の間に設けられている。２つの側板１９における複数の工具側端子１８側の面には、それぞれ２つの突起２２，２３が設けられている。一方の側板１９に設けた２つの突起２２，２３は、他方の側板１９に向けて突出されている。２つの突起２２，２３は、複数の工具側端子１８の表面に沿った方向で、間隔をおいて設けられている。さらに、平坦面２０と２つの突起２２，２３との間には隙間が設けられている。
【００１８】
電池パック１２は、装着部１５に対して取り付け及び取り外し、つまり、着脱することができる。電池パック１２の構成を図３及び図４に基づいて説明する。電池パック１２は、複数の電池セル２４と、複数の電池セル２４を収容した収容ケース２５とを有する。電池セル２４は、充電及び放電を繰り返し行うことのできる二次電池である。電池セル２４は、リチウムイオン電池セル、ニッケル水素電池セル、リチウムイオンポリマー電池セル、ニッケルカドミウム電池セル等を含む。複数の電池セル２４の電極同士は、図示しない接続板により接続されており、接続方向で端部に位置する電池セルの電極は、図示しない回路基板を介して電池側端子２６に接続されている。電池側端子２６は複数設けられている。
【００１９】
収容ケース２５は、ケース本体５２と、ケース本体５２の開口部を塞ぐカバー２７とを有する。ケース本体５２及びカバー２７は、ともに非導電性の材料により、それぞれ別々に構成されている。非導電性の材料は樹脂を含む。前記ケース本体５２に複数の通気孔２８が設けられている。複数の通気孔２８は、収容ケース２５の内部と外部とを接続している。
【００２０】
カバー２７には、平坦なプレート部２９と、プレート部２９とは高さが異なるマウント部３０とが設けられている。マウント部３０には、端子挿入孔３１が複数設けられている。複数の端子挿入孔３１は、スリット状に形成されている。複数の端子挿入孔３１は、収容ケース２５の内部と外部とを連通している。前記複数の電池側端子２６は、複数の端子挿入孔３１に別個に挿入されている。さらに、複数の端子挿入孔３１と、プレート部２９との間には開口部５１が設けられている。開口部５１は複数の端子挿入孔３１とつながっている。
【００２１】
さらに、マウント部３０の表面とプレート部２９の表面とを接続する２つの接続部３２が形成されている。２つの接続部３２は、プレート部２９の端部に連続して設けられている。マウント部３０の表面とプレート部２９の表面とは異なる高さにあり、かつ、２つの表面同士の延長線は互いに平行である。この延長線は図示されていない。また、カバー２７におけるプレート部２９とは反対側の端部には、マウント部３０よりも高い突出部３３が２箇所に設けられている。２箇所の突出部３３の間に凹部３４が設けられている。
【００２２】
また、凹部３４を貫通する通気孔３５が設けられている。通気孔３５は、収容ケース２５の内部と外部とを接続している。電池パック１２は、図示しない充電器に接続して、電池セル２４への充電を行うことが可能である。電池セル２４への充電を行うときに、通気孔３５を経由して収容ケース２５の内部に冷却風が送り込まれ、その冷却風は通気孔２８を経由して収容ケース２５の外部に排出される。さらに、突出部３３同士を接続する接続部３６が設けられている。
【００２３】
さらに、収容ケース２５における突出部３３の両側には、操作ボタン３７が取り付けられている。操作ボタン３７は、図示しない支持軸を中心として所定角度の範囲内で回動するように、収容ケース２５に取り付けられている。また、操作ボタン３７にはラッチ３８が設けられており、カバー２７に設けられた孔３９にラッチ３８が挿入されている。ラッチ３８の先端は孔３９から外部に露出している。なお、操作ボタン３７は、図示しない弾性部材により収容ケース２５の外部に向けて押されている。
【００２４】
カバー２７の表面にはシール部材４０が取り付けられている。シール部材４０は、防水性を有する材料、例えば、ゴム状弾性体、シリコン等により一体成形されている。シール部材４０は、プレート部２９、接続部３２、マウント部３０、突出部３３、接続部３６に亘って取り付けられている。シール部材４０はカバー２７に対して接着剤を用いて固定されるか、またはカバー２７の成形工程で２層成形により一体化されている。また。シール部材４０において、マウント部３０の表面に取り付けられた部分４０ａは、略水平方向に直線状に延ばされている。さらに、シール部材４０において、接続部３２に取り付けられた部分４０ｂは、プレート部２９と略直角に延ばされている。さらにまた、シール部材４０において、プレート部２９に取り付けられた部分４０ｃは、略水平に延ばされている。カバー２７を平面視すると、シール部材４０の部分４０ａと部分４０ｃとが、略直角となっている。
【００２５】
さらに、カバー２７を平面視すると、シール部材４０において突出部３３に取り付けられた部分４０ｄは、略直線状に延ばされている。さらに、カバー２７を平面視すると、シール部材４０において接続部３６に取り付けられた部分４０ｅは、部分４０ｃと平行である。このように、シール部材４０は、カバー２７の平面視で無端状に構成されている。具体的には、シール部材４０は、複数の端子挿入孔３１、開口部５１、通気孔３５を取り囲むように設けられている。さらに、カバー２７を平面視したとき、同じ平面内において、２つの案内溝４１が長尺状に設けられ、かつ、シール部材４０が無端状に設けられている。
【００２６】
一方、図４のようにマウント部３０における平行な側面には、案内溝４１がそれぞれ設けられている。なお、図４では、便宜上、１つの案内溝４１のみが示されている。２つの案内溝４１は、電池パック１２を装着部１５に取り付ける過程、及び電池パック１２を装着部１５から取り外す過程で、電池パック１２と装着部１５とが相対移動する方向を規制する構造である。２つの案内溝４１は、シール部材４０の部分４０ａと平行な方向に延ばされている。案内溝４１は一対の案内面４２を有する。一対の案内面４２は、マウント部３０の突出方向、つまり高さ方向で異なる位置に設けられている。前記突起２２，２３は、案内溝４１内を移動可能である。
【００２７】
そして、ケース本体５２の底面５３を略水平にした状態において、垂直方向に沿った平面内で、一対の案内面４２は平行に配置されている。一対の案内面４２は、略水平な第１水平面４３と、第１水平面４３に連続し、かつ、上方に向けて傾斜した第１傾斜面４４とを有する。
【００２８】
前記した上方とは、高さ方向における上方を意味する。また、一対の案内面４２は、第１傾斜面４４における第１水平面４３とは反対側に連続された第２水平面４５と、第２水平面４５における第１傾斜面４４とは反対側の端部に連続された第２傾斜面４６とを有する。さらに、一対の案内面４２は、第２傾斜面４６における第２水平面４５とは反対側の端部に連続された第３水平面４７を有する。第３水平面４７は、案内溝４１における最も突出部３３に近い箇所に設けられている。案内溝４１における第３水平面４７と第２傾斜面４６との間に孔３９が配置されている。
【００２９】
次に、電池パック１２を、工具本体１１の装着部１５に取り付ける、つまり、装着する作業を説明する。まず、図４のように、２つの案内溝４１と、突起２２，２３とが同じ直線上に位置するように、電動工具１０と電池パック１２とを配置する。そして、電動工具１０と電池パック１２とを近づけると、突起２２が案内溝４１へ進入する。すなわち、案内溝４１に沿って、装着部１５と電池パック１２とを相対移動する。ここでは、便宜上、図４のようにケース本体５２の底面５３を略水平とし、装着部１５と電池パック１２とを相対移動させることを例として説明する。また、便宜上、電池パック１２を動かさずに、装着部１５を水平方向に移動させる例を説明する。
【００３０】
案内溝４１に進入した突起２２は、図５のように、第１水平面４３に沿って案内され、装着部１５は略水平な方向に移動する。次いで、突起２２は第１傾斜面４４によって案内され、装着部１５は徐々に上昇するように斜めに移動する。さらに、突起２２は第２水平面４５によって案内され、装着部１５は略水平な方向に移動する。さらに、突起２２は第２傾斜面４６によって案内され、装着部１５は徐々に下降するように斜めに移動する。突起２２が第２傾斜面４６によって案内されて、装着部１５がカバー２７に近づくように移動する過程で、シール部材４０が装着部１５に接触し、かつ、装着部１５の移動力でシール部材４０が弾性変形する。さらに、突起２２は第３水平面４７によって案内され、装着部１５は略水平な方向に移動する。
【００３１】
ここで、ラッチ３８が突起２２により押されてカバー２７の内部に向けて動作する。突起２２はラッチ３８に接触しながら移動する。この時点において、突起２３が案内溝４１内へ進入する。そして、図６のように、突起２２がラッチ３８を乗り越えると、ラッチ３８は弾性部材の力でカバー２７の外部に向けて動作し、突起２２とラッチ３８とが係合する。また、突起２２が突出部３３の端面３３ａに接触すると、カバー２７に対する装着部１５の移動が停止する。このようにして、装着部１５に対する電池パック１２の取り付けが完了する。なお、突起２２が案内溝４１に進入してから、装着部１５に対する電池パック１２の取り付けが完了するまでの間に、工具側端子１８が端子挿入孔３１に進入して、工具側端子１８と電池側端子２６とが接続される。したがって、電動工具１０は、電池セル２４の電力を電動モータ１６に供給することが可能となる。
【００３２】
第１実施形態の電動工具１０は、突起２２を案内溝４１に挿入した時点から、突起２２とラッチ３８とが係合する前までの間、シール部材４０は装着部１５に接触しない。つまり、電動工具１０は、電池パック１２を装着部１５に取り付ける過程において、シール部材４０と装着部１５との間に隙間が形成される。そして、突起２２とラッチ３８とが係合されると、シール部材４０が装着部１５に接触してシール面を形成する。具体的に説明すると、シール部材４０の部分４０ｄ，４０ｅが張り出し部４９の表面に密着する。また、シール部材４０の部分４０ａが平坦面２０に密着する。また、シール部材４０の部分４０ｂが、段部２１に密着する。さらに、シール部材４０の部分４０ｃが、平坦面４８に密着する。
【００３３】
したがって、シール部材４０は、装着部１５とカバー２７との間に異物が侵入することを防止する。例えば、シール部材４０は、異物が電池側端子２６と工具側端子１８との接触部分に侵入することを防止できる。また、シール部材４０は、異物が端子挿入孔３１、通気孔３５、開口部５１を経由して、収容ケース２５の内部に侵入することを防止できる。本発明における異物は、水、埃、砂、泥等を含む。なお、突起２２とラッチ３８とが係合していると、電池パック１２が装着部１５から外れる向きの力が作用しても、電池パック１２が装着部１５から外れることを防止できる。さらに、突起２２とラッチ３８とが係合した状態では、突起２３が第１水平面４３に接触し、かつ、突起２２が第３水平面４７に接触する。すなわち、垂直方向に沿った平面内で、カバー２７と装着部１５とが２箇所で接触する。
【００３４】
なお、電池パック１２を装着部１５から取り外す場合は、操作ボタン３７を押してラッチ３８をカバー２７の内部に向けて動作させると、ラッチ３８と突起２２との係合が解除される。そして、図６で電池パック１２を移動させずに、装着部１５を右方向に移動させる。すると、突起２２が、第３水平面４７、第２傾斜面４６、第２水平面４５、第１傾斜面４４、第１水平面４３に沿って案内される。そして、突起２２，２３がともに案内溝４１から抜け出し、電池パック１２が装着部１５から外される。
【００３５】
このように、第１実施形態の電動工具１０は、電池パック１２を工具本体１１の装着部１５に取り付ける過程において、案内溝４１または第１傾斜面４４の少なくとも一方、及び突起２２により、装着部１５が、一旦カバー２７から離れるように誘導される。このため、シール部材４０と装着部１５との間隔が一旦広くなる。その後、案内溝４１及び第２傾斜面４６に沿って突起２２がカバー２７に近づくように誘導されるため、シール部材４０が装着部１５に接触して圧縮されてシール面が形成され、突起２２がラッチ３８と係合する。これに対して、電池パック１２を工具本体１１の装着部１５から取り外す過程において、第２傾斜面４６によってシール部材４０と装着部１５との間隔が一旦広くなる。したがって、電池パック１２を装着部１５に取り付けるとき、または電池パック１２を装着部１５から取り外すときのいずれにおいても、シール部材４０が装着部１５と接触して擦れることを抑制できる。このため、シール部材４０が摩耗すること、シール部材４０がカバー２７から剥がれることを防止でき、シール部材４０のシール性、耐久性が向上する。
【００３６】
なお、電池パック１２を装着部１５に取り付けたり、電池パック１２を装着部１５から取り外すときに選択される方法には、電池パック１２を動かさずに装着部１５を移動させる方法、装着部１５を動かさずに電池パック１２を移動させる方法、電池パック１２及び装着部１５の両方を移動させる方法が含まれる。第１実施形態の電動工具１０は、上記いずれの方法を選択した場合でも、上記と同様の効果を得ることができる。
【００３７】
（第２実施形態）
次に、第２実施形態の電動工具を、図１、図７、図８、図９に基づいて説明する。第２実施形態の電動工具１０は、シール部材５０が装着部１５に取り付けられている。また、第２実施形態の電動工具１０は、カバー２７にシール部材４０は取り付けられていない。シール部材５０は、防水性を備えた材料、例えば、ゴム状弾性体、シリコン等により一体成形されている。シール部材５０は、張り出し部４９の表面、平坦面２０、段部２１、平坦面４８に亘って取り付けられている。シール部材５０は装着部１５に対して接着剤を用いて固定されるか、または装着部１５の成形工程で２層成形により一体化されている。また、シール部材５０において、平坦面４８の表面に取り付けられた部分５０ａは、略水平方向に直線状に延ばされている。
【００３８】
さらに、シール部材５０において、段部２１に取り付けられた部分５０ｂは、平坦面２０と略直角に延ばされている。さらにまた、シール部材５０において、平坦面２０に取り付けられた部分５０ｃは、略水平に延ばされている。シール部材５０のうち、張り出し部４９の表面に取り付けられた部分５０ｄはコ字形状に屈曲されている。このように、装着部１５を平面視すると、同じ平面内で異なる箇所に突起２２，２３が設けられ、その平面内にシール部材５０が全体として無端状、つまり環状に設けられている。第２実施形態の電動工具１０におけるその他の構成は、第１実施形態の電動工具１０の構成と同じである。
【００３９】
次に、図８に示す電池パック１２を、工具本体１１の装着部１５に取り付ける、つまり装着する作業を説明する。まず、２つの案内溝４１と、突起２２，２３とが同じ直線上に位置するように、工具本体１１と電池パック１２とを配置する。そして、工具本体１１と電池パック１２とを近づけると、突起２２が案内溝４１へ進入する。すなわち、案内溝４１に沿って、装着部１５と電池パック１２とを相対移動する。すると、第１実施形態の電動工具１０と同様に、突起２２が第１水平面４３により案内される。次いで、突起２２が第１傾斜面４４により案内されることで、装着部１５がカバー２７から離れる方向に移動する。つまり、シール部材５０とカバー２７との間の間隔が、一旦広くなる。さらに、突起２２が第２水平面４５に沿って案内される。次いで、突起２２が第２傾斜面４６に沿って案内されることで、装着部１５がカバー２７に近づくように移動する。このため、シール部材５０がカバー２７の表面に接触し、かつ、装着部１５の移動力でシール部材５０が弾性変形する。そして、突起２２がラッチ３８を乗り越えると、突起２２がラッチ３８に係合し、突起２３が第１水平面４３に接触した状態で停止する。なお、第２実施形態の電動工具１０においても、装着部１５に電池パック１２を取り付ける過程で、工具側端子１８が端子挿入孔３１に進入し、工具側端子１８と電池側端子２６とが接続される。
【００４０】
さらに、第２実施形態の電動工具１０においても、電池パック１２を装着部１５に取り付けるにあたり、突起２２を案内溝４１に挿入してから、突起２２とラッチ３８とが係合する前の段階では、シール部材５０はカバー２７に接触しない。そして、突起２２とラッチ３８とが係合された時点では、シール部材５０がカバー２７に接触しており、無端状のシール面を形成する。つまり、シール部材５０は、通気孔３５、電池側端子２６と工具側端子１８との接続部分、端子挿入孔３１、開口部５１等を取り囲むように、環状のシール面を形成する。
【００４１】
具体的に説明すると、シール部材５０の部分５０ｄが、突出部３３及び接続部３６に密着する。また、シール部材５０の部分５０ｃがマウント部３０の表面に密着する。また、シール部材５０の部分５０ｂが接続部３２に密着する。さらに、シール部材５０の部分５０ａがプレート部２９の表面に密着する。したがって、シール部材５０は、装着部１５とカバー２７との間に異物が侵入することを防止する。例えば、シール部材５０は、異物が電池側端子２６と工具側端子１８との接続部分に侵入することを防止できる。また、異物が、通気孔３５、開口部５１、端子挿入孔３１を経由して、収容ケース２５の内部に侵入することを防止できる。第２実施形態の電動工具１０の他の効果は、第１実施形態の電動工具１０の効果と同じである。
【００４２】
さらに、第２実施形態の電動工具１０は、電池パック１２を工具本体１１の装着部１５に取り付ける過程において、シール部材５０とカバー２７との間隔が一旦広くなり、突起２２がラッチ３８と係合してから、シール部材５０がカバー２７に接触してシール面を形成する。これに対して、電池パック１２を工具本体１１の装着部１５から取り外す過程において、シール部材５０とカバー２７との間隔が一旦広くなる。したがって、電池パック１２を装着部１５に取り付けるとき、または電池パック１２を装着部１５から取り外すときのいずれにおいても、シール部材５０がカバー２７と接触して擦れることを抑制できる。このため、シール部材５０が摩耗すること、シール部材５０が装着部１５から剥がれることを防止でき、シール部材５０のシール性、耐久性が向上する。
【００４３】
なお、電池パック１２を装着部１５に取り付けたり、電池パック１２を装着部１５から取り外すときに選択される方法には、電池パック１２を動かさずに装着部１５を移動させる方法、装着部１５を動かさずに電池パック１２を移動させる方法、電池パック１２及び装着部１５の両方を移動させる方法が含まれる。第２実施形態の電動工具１０は、上記いずれの方法を選択した場合でも、同様の効果を得ることができる。
【００４４】
ここで、本実施形態において説明した構成と、本発明の構成との対応関係を説明すると、
電動工具１０が、本発明の電気機器に相当し、工具本体１１が、本発明の電気機器本体に相当し、案内溝４１及び突起２２，２３が、本発明の案内機構に相当し、案内溝４１及び突起２２が、本発明の接触防止機構に相当し、ラッチ３８及び突起２２が、本発明の保持機構に相当し、突起２２が、本発明の係止爪に相当し、工具側端子１８が、本発明の機器側端子に相当する。また、通気孔３５、開口部５１、端子挿入孔３１、電池側端子２６と工具側端子１８との接続部分が、本発明のシール対象部に含まれる。
【００４５】
（第３実施形態）
次に、図１０に基づいて第３実施形態の電動工具１０を説明する。電池パック１２は、上記した実施形態の案内溝４１に対応する略Ｌ字状の案内部６０を複数備えている。更に電池パック１２は上記実施形態と同様にシール部材４０を備えている。シール部材４０は、電池パック１２の上面に取り付けられている。案内部６０は、傾斜面６０ａと傾斜面６０ａに連結される平坦面６０ｂとを有する。平坦面６０ｂは、電池パック１２の上面と平行である。傾斜面６０ａは、平坦面６０ｂと交差するように傾斜している。なお、電池パック１２には図示しないラッチが設けられており、装着部１５には、ラッチに係合する突起が設けられている。この突起は図１０では省略されている。また、図示しない工具側端子が装着部１５に設けられており、図示しない電池側端子が電池パック１２に設けられている。シール部材４０は、電池側端子の回りを取り囲むように、電池パック１２に設けられている。
【００４６】
一方、装着部１５は案内部６０に係合する突起６１を複数個備えている。突起６１に平坦面６２が設けられている。平坦面６２は、装着部１５の端部と平行である。装着部１５に電池パック１２を取り付ける場合、電池パック１２の上方から装着部１５を電池パック１２に近づけ、電池パック１２に対して装着部１５を図中左方向に移動させる。突起６１の平坦面６２が案内部６０の傾斜面６０ａに沿って左方向に移動するとともに、傾斜面６０ａに沿って電池パック１２に近づくように移動する。ここで、シール部材４０は、装着部１５に電池パック１２を取り付ける作業が完了するまでの間、装着部１５に接触しない。そして、突起がラッチと係合して電池パック１２を装着部１５に取り付ける作業が完了すると、シール部材４０が装着部１５に接触してシール面を形成する。
【００４７】
一方、電池パック１２を装着部１５から取り外す際には、電池パック１２と装着部１５とを相対移動させると、突起６１が案内部６０に沿って移動することで、シール部材４０が装着部１５に接触して擦れることなく、電池パック１２が装着部１５から取り外される。このように、第３実施形態の電動工具１０においても、第１及び第２実施形態の電動工具１０と同様に、装着部１５に電池パック１２を取り付ける時、または装着部１５から電池パック１２を取り外す時のいずれであっても、シール部材４０が剥がれることを防止できる。
【００４８】
また、電池パック１２を装着部１５に取り付けて、ラッチが突起と係合した状態では、シール部材４０が装着部１５に接触する。このため、電池パック１２と装着部１５との間のシール性を向上することができる。なお、シール部材４０を装着部１５に設けてもよいし、案内部６０に平坦面６０ｂを設けなくてもよい。ここで、第３実施形態において説明した構成と、本発明の構成との対応関係を説明すると、案内部６０及び突起６１が、本発明の案内機構及び接触防止機構に相当する。
【００４９】
本発明の電気機器は、第１実施形態の電動工具〜第３実施形態の電動工具に限定されるものではなく、その要旨を逸脱しない範囲で種々変更可能である。例えば、本発明の電気機器は、装着部に、案内溝を設け、カバーに係止爪を設けた構造の電動工具を含む。上記案内溝及び係止爪は図示されていない。また、本発明の電池パックは、電池セルを８本未満収容する構造、または電池セルを９本以上収容する構造を含む。本発明の電池パックが取り付け及び取り外しされる電気機器は、前述した電動工具の他、グラインダつまり研削工具、サンダつまり研磨工具、釘打ち機、ねじ打ち機、タッカ、集塵機、すなわち、クリーナ、送風機、ポンプ、高圧洗浄機、チェンソー、園芸工具、耕耘機等を含む。送風機は、ファン及びブロワを含む。前記チェンソーは切断工具であり、園芸工具は、草刈り機及び植木バリカンを含む。すなわち、本発明の電気機器は、電池パックの電力で電動モータを回転させ、その回転運動を動作部材の往復運動または回転運動の少なくとも一方に変換する機器を含む。また、本発明の電気機器は、トーチライト、例えば、懐中電灯等を含む。すなわち、本発明の電気機器は、電池パックから供給される電気エネルギを光エネルギに変換する照明機器を含む。
【符号の説明】
【００５０】
１０…電動工具、  １１…工具本体、  １２…電池パック、  ２２…突起、  ４０…シール部材、  ４１…案内溝。
【図１】
2014107188.tif 000003
【図２】
2014107188.tif 000004
【図３】
2014107188.tif 000005
【図４】
2014107188.tif 000006
【図５】
2014107188.tif 000007
【図６】
2014107188.tif 000008
【図７】
2014107188.tif 000009
【図８】
2014107188.tif 000010
【図９】
2014107188.tif 000011
【図１０】
2014107188.tif 000012